(57)【要約】【課題】  バイオマスを加圧熱水処理して得られる抽出物あるいは分解産物を、連続的に分離回収することが可能なバイオマスの処理方法を提供する。【解決手段】  導入部、排出部及び抽出部を有する反応器を用いて、導入部からバイオマスを反応器に連続供給しながら、該バイオマスを温度の異なる加圧熱水で処理することで、該バイオマスから、最初に細胞内含有成分および水溶性リグニン、続いてヘミセルロースおよびヘミセルロース分解産物、最後にセルロースおよびセルロース分解産物を抽出し、反応器の抽出部から連続的に回収することを特徴とするバイオマス連続的加圧熱水処理方法。【選択図】  図１
2007301472.tif 000002
【特許請求の範囲】
【請求項１】
導入部、排出部及び抽出部を有する反応器を用いて、導入部からバイオマスを反応器に連続供給しながら、該バイオマスを温度の異なる加圧熱水で処理することで、該バイオマスから、最初に細胞内含有成分および水溶性リグニン、続いてヘミセルロースおよびヘミセルロース分解産物、最後にセルロースおよびセルロース分解産物を抽出し、反応器の抽出部から連続的に回収することを特徴とするバイオマス連続的加圧熱水処理方法。
【請求項２】
前記加圧熱水の温度が、反応器の導入部から排出部にかけて、順次高くなる前記請求項１に記載のバイオマス連続的加圧熱水処理方法。
【請求項３】
前記加圧熱水の温度が、最初は１４０℃以下、続いて１４０〜２３０℃、最後に２３０℃以上である前記請求項1又は２に記載のバイオマス連続的加圧熱水処理方法。
【請求項４】
前記反応器の内部が、仕切板とスクレーパーにより区分けされてなる前記請求項１〜３のいずれか１項に記載のバイオマス連続的加圧熱水処理方法。
【発明の詳細な説明】
【技術分野】
【０００１】
本発明は、バイオマスの処理方法に関し、更に詳しくは、バイオマスを加圧熱水処理して得られる成分を連続的に分離回収することができる処理方法に関する。
【背景技術】
【０００２】
バイオマス資源は、水と炭酸ガスと太陽エネルギーとから、光合成により生産される有機資源であり、エネルギー源または化学原料として利用可能であり、生産量と利用量の調和をとれば、炭酸ガスを増加させることなく永久に利用できる再生可能資源である。
バイオマスとは、暮らしや産業活動から排出される有機性廃棄物である「廃棄物系バイオマス」、農地にすき込まれたり、山林に放置されたりする農作物の非食用部（例えば、トウモロコシの茎・葉など）や間伐材などの「未利用バイオマス」、食料や木材の生産を目的とせず、物質・エネルギー資源を得ることを目的として、現在の休耕地や未利用地などで栽培される植物である「資源作物」、従来からの手法による品種改良や遺伝子組み換えによって、生産性などを改善した資源作物である「新作物」などを指す。
【０００３】
バイオマスには、細胞内含有成分、リグニン、ヘミセルロース、セルロース等の成分により構成されており、成分比はバイオマスの種類によって異なっている。例えば、木質系バイオマスは、約５％の細胞内含有成分、２０〜２５％のリグニン、２０〜２５％のヘミセルロース、約５０％のセルロースから構成されている。これらの成分は工業的に利用する上で有用であることが知られている。例えば、細胞内含有成分には生理活性物質や色素などが含まれており、医薬品、染料、食品添加物として利用できる。リグニンはフェノール系化合物の重合体であり、芳香族系の工業原料として利用できる。また、ヘミセルロースは、キシロースを主成分とする糖の重合体であるので、キシリトールや、キシロオリゴ糖などの生理活性物質として利用できる。さらに、セルロースはグルコースの重合体であるので、グルコースやセロオリゴ糖を得ることができる。グルコースはエタノールや乳酸の発酵原料として用いることができ、セロオリゴ糖は生理活性物質として用いることができる。（例えば、非特許文献１参照）
【０００４】
バイオマスを加圧熱水で処理すると、バイオマスを構成する成分を分解、抽出することができる。加圧熱水とは、温度が１００〜３７４℃であり、飽和蒸気圧以上に加圧した高温高圧の液体状態の水のことである。加圧熱水に対するバイオマス構成成分の反応性の違いを利用することで、バイオマスの構成成分の分離を行うことが可能である。実験者によって温度は多少異なるが、例えば、加圧熱水の温度が１００〜１４０℃である低温フラクションにおいては、細胞内有用成分（タンニン、テルペン、有機酸）や水溶性リグニンを回収できる。また、加圧熱水の温度が１４０〜２３０℃である中温フラクションにおいては、ヘミセルロースに由来するオリゴ糖や、キシロース、アラビノース、マンノース、ガラクトースなどの単糖類を回収できる。加圧熱水の温度が２３０〜３７４℃である高温フラクションにおいては、セルロースに由来するセロオリゴ糖や、グルコースなどを回収できる（例えば、特許文献１及び２、非特許文献１乃至３参照）。
【０００５】
バイオマスの加圧熱水処理法として、回分法、半回分法、スラリー流通法などが知られている。（例えば、非特許文献１参照）。
回分法は、反応容器に、バイオマスと水を仕込んだ後に密封し、加熱浴中に反応器を浸けることで加圧熱水処理を行う方法である。この方法は簡便ではあるが、上記における低温フラクション、中温フラクション、高温フラクションのような分離を行うためには、目的とする温度で加圧熱水処理を行った後に反応を一度停止し、目的産物を含む溶液を分離したのち、再度加圧熱水処理を行うといった操作が必要であり、連続的に試料を処理できないため、多量の試料の処理には適していない。
【０００６】
半回分法（Ｆｌｏｗ−ｔｈｒｏｕｇｈ法）は、試料の大きさより細かい目開きのフィルターを持つ反応器に試料を仕込んだ後、加圧熱水を反応器に通水することにより、バイオマス構成成分を抽出、分解し、フィルターが設けられた反応器下部から液体を回収することで、抽出物及び分解産物を得る方法である。この方法によれば、温度の異なる加圧熱水を順次反応器に通水することができ、上記における低温フラクション、中温フラクション、高温フラクションを分離回収することができるという点では優れている。しかし、反応後の残渣を取り除く必要があり、そのため処理を中断しなければならず、連続処理することはできない。
【０００７】
スラリー流通法（Ｃｏ−ｃｕｒｒｅｎｔ法）は、多量のバイオマスを処理するために開発された方法である。この方法は、バイオマスと水のスラリーをパイプの一端から流入させ、加熱されたパイプ内にスラリーを供給することで、スラリーを加温させ、加圧熱水処理する方法である。この方法では、連続的にスラリーを通液することができるため、多量のバイオマスを加圧熱水処理できるが、処理温度が一定であるため、上記における低温フラクション、中温フラクション、高温フラクションのような分離回収ができない。このため、加圧熱水後のバイオマスを成分ごとに利用するためには、さらに分離を行わなければならない。
【０００８】
連続的にバイオマスを加圧熱水処理する方法には、Ｂｏｂｌｅｔｅｒの報告もある。Ｂｏｂｌｅｔｅｒは、加圧熱水とアルカリ水溶液で試料を順次処理することで、ヘミセルロースとリグニンを除去し、セルロースを得る方法について提案を行っている。この方法では、バイオマスをフィーダーにより反応器内に導入し、反応条件の違いにより三つのステージにわけた反応器内で抽出や分解を行っている。三つのステージは、それぞれステージI−IIIと名付けられている。ステージIでは、加圧熱水（約２１０℃）によりヘミセルロースとリグニンが抽出され、反応器外に排出される。ステージIIでは、ステージIで加圧熱水処理された試料が送られ、加圧熱水（約２００℃）によりヘミセルロースとリグニンが抽出され反応器外に排出される。ステージIIIでは、ステージIIで加圧熱水処理された試料が送られ、１−５％ＮａＯＨ（約１７０℃）を用いて、試料に残存したリグニンが分解される。セルロースは、残渣として、反応器の下部より回収される（例えば、非特許文献５参照）。
この方法の目的は、セルロースを得ることであり、この方法によると、細胞内含有成分、水溶性リグニン、ヘミセルロースが同時に抽出されてしまい、これらの成分を分離回収することができない。
【０００９】
工業的規模で、バイオマスの加圧熱水処理を行い、その結果、得られる有用物質の利用が期待されているが、このためには、バイオマスを加圧熱水処理した際に得られるバイオマス構成成分由来の抽出物、分解産物を連続的に分離回収する方法の開発が求められている。しかし、上記のように、現在知られているバイオマスの加圧熱水処理法の中では、抽出物および分解産物を連続的に分離回収する方法は開示されていない。
【特許文献１】特開２００２−５９１１８号公報
【特許文献２】特開平１０−３２７９００号公報
【非特許文献１】柴田  昌男、「バイオマス利用技術の開発を目指して―加圧熱水による処理技術―」、平成１３年度産業技術総合研究所九州センター研究講演会要旨集
【非特許文献２】坂木  剛、「加圧熱水によるバイオマスの成分分離」
【非特許文献３】安藤  浩毅、外５名、「加圧熱水を用いた木質バイオマスの分解挙動」、鹿児島県工業技術センター研究報告  Ｎｏ．１４，２０００．
【非特許文献４】Ｎ．Ｍｏｓｉｅｒ  ｅｔ  ａｌ．，“Ｆｅａｔｕｒｅｓ  ｏｆ  ｐｒｏｍｉｓｉｎｇ  ｔｅｃｈｎｏｌｏｇｉｅｓ  ｆｏｒ  ｐｒｅｔｒｅａｔｍｅｎｔ  ｏｆ  ｌｉｇｎｏｃｅｌｌｕｌｏｓｉｃ  ｂｉｏｍａｓｓ”，Ｂｉｏｒｅｓｏｕｒｓｅｓ  ｔｅｃｈｎｏｌ．，６７３−６８６（２００５）．
【非特許文献５】Ｏ．Ｂｏｂｌｅｔｅｒ，“Ｈｙｄｒｏｔｈｅｒｍａｌ  ｄｅｇｒａｄａｔｉｏｎ  ｏｆ  ｐｏｌｙｍｅｒｓ  ｄｅｒｉｖｅｄ  ｆｒｏｍ  ｐｌａｎｔｓ”，Ｐｒｏｇ．，Ｐｏｌｙｍ．，Ｓｃｉ．，１９，７９７−８４１（１９９４）．
【発明の開示】
【発明が解決しようとする課題】
【００１０】
本発明の課題は、バイオマスを加圧熱水処理して得られる抽出物あるいは分解産物を、連続的に分離回収することが可能なバイオマスの処理方法を提供することである。
【課題を解決するための手段】
【００１１】
前記課題を解決すべく本発明は、以下の構成を有する。
（１）導入部、排出部、抽出部を有する反応器を用いて、導入部からバイオマスを反応器に連続供給しながら、該バイオマスを温度の異なる加圧熱水で処理することで、該バイオマスから、最初に細胞内含有成分および水溶性リグニン、続いてヘミセルロースとヘミセルロース分解産物、最後にセルロースおよびセルロース分解産物を抽出し、反応器の抽出部から連続的に回収することを特徴とするバイオマス連続的加圧熱水処理方法。
（２）前記加圧熱水の温度が、反応器の導入部から排出部にかけて、順次高くなる前記（１）に記載のバイオマス連続的加圧熱水処理方法。
（３）前記加圧熱水の温度が、最初に１４０℃以下、続いて１４０〜２３０℃、最後に２３０℃以上である前記（１）又は（２）に記載のバイオマス連続的加圧熱水処理方法。
（４）前記反応器の内部が、仕切板とスクレーパーにより区分けされてなる前記（１）〜（３）のいずれか１つに記載のバイオマス連続的加圧熱水処理方法。
【発明の効果】
【００１２】
本発明によれば、バイオマスを加圧熱水処理して得られる抽出物あるいは分解産物を連続的に分離回収することができる。
【発明を実施するための最良の形態】
【００１３】
（装置）
本発明のバイオマス連続的加圧熱水処理方法について、図面を用いて説明する。
図１に示された縦置き型の連続処理装置（以下、「装置」ともいう）は、本発明を実施するための装置の一例であって、本発明は、この装置によりなんら制限されない。よって、本発明のバイオマス連続的加圧熱水処理方法は、図面に示される装置以外の装置によっても実施可能である。なお、前記装置の各部材の材質および形状は、加圧熱水処理を行う際の温度や圧力に耐えられる耐圧耐熱性を有していれば、どのような材質や形状であってもよい。また、装置の各部材の大きさは、処理するバイオマスの量に応じて変えることができる。
図１に示された装置は、反応器１の頂部に、バイオマスを供給する導入路２の一端がバッファタンク３を介して接続されている。バッファタンク３には、例えば、水蒸気、窒素ガス又はヘリウムガス等を加圧した加圧ガスを供給するガス導入路４が接続されており、加圧ガスがガス導入路４内を通って、バッファタンク３に供給される。
バイオマスは、導入路２内を通り、バッファタンク３に送液された後、バッファタンク３内で、ガス導入路４からバッファタンク３に導入された加圧ガスによって、加圧され、加圧状態を維持しながら反応器１に供給される。前記加圧ガスの圧力を調整することにより、反応器１内の圧力を一定に維持することができる。なお、加圧熱水処理時の反応器１内の圧力としては、加温された水が反応器内で液体状態を保持するように、反応温度の飽和蒸気圧以上に維持されればどの圧力でも良いが、０．１〜２２ＭＰａの範囲が好ましい。より好ましくは、６〜１２ＭＰａの範囲である。
図１に示された装置は、上層部、中層部および下層部の３領域に区分された構成を有している。各層の境界には仕切板５が設置されていて、仕切板５により、反応器1の頂部から供給されたバイオマスが下方へ流下しにくくなるので、各層のバイオマスの滞留時間を確保できる。さらに、異なる温度の加圧熱水が混じり合いにくくなるので、各層における加圧熱水の温度をほぼ一定に維持することができる。
また、仕切板５の上方には、回転可能なスクレーパー６が配置され、スクレーパー６の回転により、バイオマスを上段の層から下段の層へ移動させることができる。スクレーパー６の回転速度としては、各層における加圧熱水の処理時間に応じて、適宜、決定することができ、１〜１０００ｒｐｍであるのがよい。
反応器1の外部には、加熱装置７が配置され、この加熱装置７により、各層が所定温度に維持される。反応器1の各層には、加圧熱水供給路８が設けられ、所定の温度および圧力に加熱・加圧された加圧熱水が、該加圧熱水供給路８を通り、反応器1内に供給される。更に、反応器1の各層には、抽出路９が接続され、所定温度の加圧熱水により抽出又は分解された抽出物及び分解産物が、抽出路９を通って、高温状態を維持しながら反応器１の外に排出される。また、抽出路９に冷却装置１１を設けることにより、常温に冷却された抽出物および分解産物を取り出すことも可能である。
反応器１と抽出路９との接続部には、バイオマスが抽出路９へ進入するのを防止するため、フィルター１０が設けられる。フィルター１０は、高温高圧に耐えられるものであれば、特に制限はなく、例えば、ニッケル焼結フィルターを用いることができる。フィルター１０の目開きは、使用するバイオマスの大きさよりも小さいことが好ましい。
反応器1の頂部から導入されたバイオマスは、反応器1内の各層で加圧熱水処理され、徐々に反応器1の底部に移動する。最終的に反応器1の底部に達したバイオマスは、排出路１２から反応器1の外に排出される。排出路１２から排出されたバイオマスは、加水分解酵素を用いて、オリゴ糖や単糖類に変換することができる。また、熱エネルギー原料として使用することができる。
【００１４】
（バイオマスの種類）
本発明は、バイオマス構成成分の加圧熱水に対する抽出および分解の温度の違いを利用することで、バイオマスから、細胞内有用物質、リグニン、ヘミセルロース、セルロースならびにこれらの分解産物を分離することができる。このため、本発明の方法に用いられるバイオマスとしては構成成分が複数あり、これらの構成成分が、温度の異なる加圧熱水に対する挙動が異なれば、どのようなものも使用することができる。例えば、間伐材、廃材などの木質系バイオマスや、コーンコブやバガスなどの農作物非食用部、食品廃棄物、スラッジ、下水汚泥等を原料として利用できる。これらの化合物は、単独で、あるいは複数を組み合わせて使用することができる。また、バイオマスは、乾燥固形物であっても、水分を含んだ固形物であっても、スラリーであってもよい。バイオマスが乾燥固形物または水分を含んだ固形物であれば、水と混合させスラリー状態にした後に、反応器に導入するのが好ましい。
【００１５】
（バイオマス導入流量）
反応器に導入されるバイオマス流量は、反応器の体積によって変わるが、例えば反応器の体積が1Ｌの場合、５〜２００ｍｌ／ｍｉｎであるのが好ましい。
【００１６】
（加圧熱水の温度）
本装置の各層に、異なる温度の加圧熱水を導入することにより、上層部より細胞内含有成分と水溶性リグニン、中層部よりヘミセルロースとヘミセルロース分解産物、下層部よりセルロースおよびセルロース分解産物を抽出し、反応器の抽出路９から連続的に回収することができる。隣接する各層間の加圧熱水の温度を比較した場合、導入路に近い層の方が排出路に近い層より温度が高いことが好ましい。つまり、上層部より中層部に導入する加圧熱水の温度が高く、中層部より下層部に導入する加圧熱水の温度が高くなることが好ましい。加圧熱水の好ましい温度としては、上層部は１００〜１４０℃、中層部は１４０〜２３０℃、下層部は２３０〜３７４℃である。
【００１７】
（反応時間）
反応器に導入されたバイオマスは、反応器内で所定の温度の加圧熱水と接触させることにより、バイオマスに由来する抽出物や分解産物を得ることができる。バイオマスと加圧熱水との接触時間は、バイオマスの種類や加圧熱水の温度等に応じて適宜選択できる。例えば、１４０℃より低温の加圧熱水で処理する時間は、５〜３０分が好ましく、１４０〜２３０℃の加圧熱水および２３０℃より高温の加圧熱水で処理する時間は、０．５〜３０分が好ましい。
【００１８】
（加圧熱水導入量）
加圧熱水の供給量としては、特に制限はないが、バイオマス量に対して１〜５０倍量であるのが好ましい。
【００１９】
（加圧熱水の製造方法）
本発明に用いられる加圧熱水の製造方法としては、（１）水を反応器内に導入した後、反応器を加熱装置により加熱すると同時に、加圧装置により加圧して加圧熱水を製造する方法及び（２）反応器外で、所望の温度、圧力まで加温加圧した加圧熱水を反応器内に導入する方法を挙げることができる。
前記加熱手段としては、公知の加熱手段を用いることができ、例えば、水蒸気、電気、塩浴等を挙げることができる。また、加圧に用いられるガスは、不活性ガスが好ましく、より好ましくは、水蒸気、窒素ガス、ヘリウムガス等が良い。本発明においては、上記のいずれか一方または両方の方法を組み合わせて用いることができる。
【実施例】
【００２０】
次に、本発明を実施例により、さらに詳細に説明するが、本発明は、これらの例によって何ら限定されるものではない。なお、実施例１及び比較例１で用いられる装置の構成は図１に示される装置の構成と同様である。
【００２１】
（実施例１）
[I]  スラリーの調製
ユーカリ・グロブラスの２ｍｍ厚のチップを、ウィーレー式ミル（東西精機（社）製）を用いて粉砕し、得られた木粉をステンレス製のふるいで選別し、粒子径１００〜１２０μｍの木粉を得た。
得られた木粉５００ｇと純水４.５Ｌとを混合して、木粉１０質量％スラリー５Ｌを得た。
[II]  加圧熱水処理
加圧熱水処理には、内径５０ｍｍ、長さ５００ｍｍの耐圧耐熱性を有するステンレス鋼製（ＳＵＳ３１６）の反応器を使用した。塩浴により、反応器上層部は１３５℃、反応器中層部は２００℃、反応器下層部は２６０℃に保った。
反応器上層部、中層部および下層部には、ステンレス鋼製（ＳＵＳ３１６）の内径２０ｍｍの加圧熱水供給路と、抽出路を接続し、加圧熱水供給路および抽出路と反応器との接続部には、孔径５μｍの銀めっきされたニッケル製焼結フィルターを設けた。
反応器内の圧力を約１０．０ＭＰａに設定し、さらに約２．０ＭＰａの窒素ガスにより加圧したのち、導入路から木粉１０質量％スラリーを、１５ｍｌ／ｍｉｎの流速で反応器に供給した。各加圧熱水供給路から、加圧熱水を３００ｍｌ／ｍｉｎの流速で送液し、各抽出路から、３００ｍｌ／ｍｉｎの流速で、処理開始２０分後の抽出液を得た。
得られた抽出液は、抽出路に設けられた冷却器（東京理化器械（社）製）により約２０℃に冷却されていた。
[III]  成分測定
＜固形分の測定＞
加圧熱水処理後の反応器上層部、中層部および下層部から得られた抽出液と、排出路から得られた排液とを、各々５０ｍｌ採取し、これらを５６℃で恒量になるまで真空乾燥機（東京理化器械（社）製）で乾燥し、乾燥後の固形分の重量を測定した。
＜成分分析＞
（１）  糖類の分析
糖類の分析は、各抽出路から得られた抽出液を、陰イオン交換カラム（ＤＩＯＮＥＸ，ＣａｒｂｏＰＡＣ  ＰＡ−１）を装備した糖分析装置（Ｄｉｏｎｅｘ，ＩＣＳ  ３０００）を用いて測定した。標準物質として、グルコース、キシロース、アラビノース、マンノース、ガラクトースを使用した。
（２）  リグニンの分析
リグニンの分析は、紫外・可視分光光度計（Ｈｉｔａｃｈｉ  Ｕ−４１００）を用いたＵＶ吸収スペクトルの測定で行った。
（３）  細胞内含有成分の測定
細胞内含有物成分の測定は、「木材科学実験書 II. 化学編」（中外産業調査会、日本木材学会編、ｐ．ｐ．１５３−１５４）に記載の方法に従って行った。すなわち、各部から得られた加圧熱水処理後の抽出液と、排出路から得られた排液は、９５％エタノール溶液１容とベンゼン２容を混合して調製した有機溶媒混合液を用いて、ソックスレー抽出を行い、さらに溶媒を除去することにより、固形分を得た。得られた固形分を「Ｆｕｎｇａｌ  ｄｅｇｒａｄａｔｉｏｎ  ｏｆ  ｌｉｐｏｐｈｉｌｉｃ  ｅｘｔｒａｃｔｉｖｅｓ  ｉｎ  Ｅｕｃａｌｙｐｔｕｓ  ｇｌｏｂｕｌｕｓ  ｗｏｏｄ」（Ａ．Ｇｕｔｉｅｒｒｅｚ  “Ａｐｐｌ．Ｅｎｖｉｒｏｎｍｅｎｔ．  Ｍｉｃｒｏｂｉｏｌ．”，１９９９，ｐ．ｐ．１３６７−１３７１）に記載の方法に従い、ガスクロマトグラフ質量分析計（型式：Ｃｌａｒｕｓ５００  ＧＣ／ＭＳ  パーキンエルマー（社）製）を用いて測定した。
【００２２】
以上の結果、反応器上層部から得られた抽出液には、細胞内含有成分、リグニン、リグニン分解産物が主に得られ、反応層中部から得られた抽出液には、キシロオリゴ糖、キシロースが主に得られ、反応層下部から得られた抽出液には、セロオリゴ糖、グルコースが主に得られることが分かった。各層から得られた抽出液と排出液との固形分重量の割合を表１に示す。
【００２３】
（比較例１）  半回分法によるバイオマスの加圧熱水処理
[I]  加圧熱水処理
実施例１と同様の反応器を使用して、半回分法により、加圧熱水処理を行った。反応器の排出路には、孔径５μｍの銀めっきされたニッケル製焼結フィルターを設けた。３００ｇの木粉１０質量％スラリーを反応器に入れ、抽出路および加圧熱水供給路に設けられた弁を閉じて加圧熱水処理を行った。
反応器内の圧力を約１０．０ＭＰａに設定し、さらに約２．０ＭＰａの窒素ガスにより加圧して処理をした。
反応器頂部に設けられた導入路から、１３５℃の加圧熱水を１０ｍｌ／ｍｉｎで２０分間通水を行い、反応器下部に設けられた排出部から排液を得た。この排液を５６℃で恒量になるまで真空乾燥機（東京理化器械（社）製）で乾燥し、乾燥後の固形分の重量を測定した。
次いで、２００℃に昇温した加圧熱水を反応器内に供給して、加圧熱水処理を行った。
前記と同様に、２０分間通水を行い、排出部から排液を得た。この排液を５６℃で恒量になるまで真空乾燥機（東京理化器械（社）製）で乾燥し、乾燥後の固形分の重量を測定した。
次いで、２６０℃に昇温した加圧熱水を反応器内に供給して、加圧熱水処理を行った。
前記と同様に、２０分間通水を行い、排出部から排液を得た。この排液を５６℃で恒量になるまで真空乾燥機（東京理化器械（社）製）で乾燥し、乾燥後の固形分の重量を測定した。また、実施例１と同様にして、成分を分析した。結果を表２に示す。
【００２４】
この結果、実施例１では、比較例１と比べて、同程度の生成物収率が得られた。実施例１では、連続的に生成物が得られたのに対して、比較例１は残渣を取り除く必要があるため、連続的に生成物を得られなかった。このため、実施例１の方が効率的にバイオマスを構成成分由来の抽出物や分解産物を得ることができた。
【００２５】
【表１】
2007301472.tif 000003
【００２６】
【表２】
2007301472.tif 000004
【産業上の利用可能性】
【００２７】
本発明で得られるリグニン、リグニン分解産物および細胞内含有成分は、重金属吸着剤、接着剤、抗菌剤または生理活性物質等の原料として、キシロオリゴ糖およびキシロースは、機能性食品または医薬品等の原料として、セロオリゴ糖およびグルコースは、ベンゼン、トルエンもしくはキシレン等の薬品またはプラスチック等の原料として利用することができる。
【図面の簡単な説明】
【００２８】
【図１】本発明で用いられるバイオマス連続処理装置の一例を示す図である。
【符号の説明】
【００２９】
１・・・反応器
２・・・導入路
３・・・バッファタンク
４・・・ガス導入路
５・・・仕切板
６・・・スクレーパー
７・・・加熱装置
８・・・加圧熱水供給路
９・・・抽出路
１０・・・フィルター
１１・・・冷却装置
１２・・・排出路
【図１】
2007301472.tif 000005